(57)【特許請求の範囲】
【請求項１】
車両の運転者の前方に、フロントガラスに重なる映像を表示する映像表示部と、
前記映像表示部に対して、視線誘導をするための仮想線の映像情報を出力する処理部と、
操舵入力を検知する操舵入力検知部と、
を備え、
前記処理部は、
前記仮想線が、前記運転者の上側から、前記フロントガラス内に視認される車両の進路に沿って延び、前記仮想線の先端が前記フロントガラス内に視認される進路上の道路面と重なり、さらに前記仮想線と連動させて、車外物についての注意喚起表示を表示し、
前記操舵入力検知部からの操舵入力信号に応じて、前記注意喚起表示を前記仮想線より目立たないように変更する映像情報を出力する、
ことを特徴とする視線誘導システム。
【請求項２】
前記処理部は、前記映像表示部の表示範囲内において、前記注意喚起表示を、前記車外物と前記仮想線をつなぐ線として表示する映像情報を出力する、
ことを特徴とする請求項１記載の視線誘導システム。
【請求項３】
前記処理部は、前記仮想線を表示した状態のまま、前記仮想線から前記車外物へ対して延びるように、分岐して前記注意喚起表示を表示し、前記操舵入力検知部からの操舵入力信号に応じて、前記注意喚起表示を消す映像情報を出力する、
ことを特徴とする請求項１または２のいずれか１項に記載の視線誘導システム。
【請求項４】
前記処理部は、前記仮想線を表示した状態のまま、前記仮想線から前記車外物へ対して延びるように前記注意喚起表示を表示し、
前記操舵入力検知部からの操舵入力信号に応じて、前記注意喚起表示を薄く表示する映像情報を出力する、
ことを特徴とする請求項１または２のいずれか１項に記載の視線誘導システム。
【請求項５】
前記映像表示部は、前記フロントガラスに映像を投影する映像投影部であり、
前記処理部は、前記映像投影部に、運転者から見た前記仮想線が前記フロントガラスの上縁から道路面までに至るように表示する映像情報を出力する、
ことを特徴とする請求項１〜４のいずれか１項に記載の視線誘導システム。
【請求項６】
車両前方の運転者の視野範囲内を撮像するカメラと、
前記カメラによって撮像された画像に基づき、車両前方における前記道路面を認識する道路面認識部と、
を備え、
前記処理部は、認識された前記道路面に、前記仮想線の先端が重なる映像情報を出力する、
ことを特徴とする請求項１〜５のいずれか１項に記載の視線誘導システム。
【請求項７】
前記カメラはステレオカメラである、
ことを特徴とする請求項６記載の視線誘導システム。
【発明の詳細な説明】
【技術分野】
【０００１】
本発明は、自動車などの車両の運転者の視線を誘導する視線誘導システムに関する。
【背景技術】
【０００２】
現在、自動車などの車両では、運転者に目的地までの経路を示すカーナビゲーションシステムが汎用されている。カーナビゲーションシステムは、一般的に、ダッシュボードに設置されたディスプレイにて道案内を表示する。
特許文献１では、運転席から視認される現実の道路の上方に、案内経路をケーブル画像により表示する。
特許文献２では、３次元表示において、経路に対応するマークを、その経路に相当する道路上方の空中に描画する。
特許文献３では、案内地点と自車両との距離に応じて案内図形を変更する。
【先行技術文献】
【特許文献】
【０００３】
【特許文献１】特表２００８―５０１９５６号公報
【特許文献２】特開２００４―１１７２９４号公報
【特許文献３】特開平９―３４３５２号公報
【発明の概要】
【発明が解決しようとする課題】
【０００４】
しかしながら、上述した各種のカーナビゲーションシステムを用いたとしても、運転者の負担は大きい。
たとえば、カーナビゲーションシステムにおいて、案内経路は、一般的に運転席から視認される現実の道路と関連付けて表示されておらず、現実の道路と分離して表示される。この場合、運転者は、経路表示により経路を表示された経路により進路を認識し、認識した進路と現実の道路とを対応させ、その対応関係に基づいて現実の道路の中の進むべき道路を特定し、運転操作を実施する必要がある。経路が表示されてから、進むべき道路を特定して運転操作を実施するまでに時間がかかる。
また、車両の走行路上および周囲には、歩行者、自転車、他の車両、落下物などが存在する。運転者は、カーナビゲーションシステムの表示に基づいて経路を把握し、判断し、更に操作をしながら、これらの注意喚起が必要な車外物に対して注意を払い、避けて走行する必要がある。
【０００５】
このように、自動車などの車両では、運転者の負担を軽減する視線誘導システムが求められている。
【課題を解決するための手段】
【０００６】
運転者の負担を軽減するために、本発明では、進行方向及び車外物について、操舵入力信号に基づいて、必要と考えられるタイミングで視線誘導表示を行う。
【０００７】
本発明に係る視線誘導システムは、車両の運転者の前方に、フロントガラスに重なる映像を表示する映像表示部と、映像表示部に対して、視線誘導をするための仮想線の映像情報を出力する処理部と、操舵入力を検知する操舵入力検知部とを備え、処理部は、仮想線が、運転者の上側から、フロントガラス内に視認される車両の進路に沿って延び、仮想線の先端がフロントガラス内に視認される進路上の道路面と重なり、さらに仮想線と連動させて、車外物についての注意喚起表示を表示し、操舵入力検知部からの操舵入力信号に応じて、注意喚起表示を仮想線より目立たないように変更する映像情報を出力する。
【０００８】
好適には、処理部が、映像表示部の表示範囲内において、注意喚起表示を、車外物と仮想線をつなぐ線として表示する映像情報を出力する、とよい。
【０００９】
好適には、処理部が、仮想線を表示した状態のまま、仮想線から車外物へ対して延びるように、分岐して注意喚起表示を表示し、操舵入力検知部からの操舵入力信号に応じて、注意喚起表示を消す映像情報を出力する、とよい。
【００１０】
好適には、処理部が、仮想線を表示した状態のまま、仮想線から車外物へ対して延びるように注意喚起表示を表示し、操舵入力検知部からの操舵入力信号に応じて、注意喚起表示を薄く表示する映像情報を出力する、とよい。
【００１１】
好適には、映像表示部は、フロントガラスに映像を投影する映像投影部であり、処理部は、映像投影部に、運転者から見た仮想線が前記フロントガラスの上縁から道路面までに至るように表示する映像情報を出力する、とよい。
【００１２】
好適には、車両前方の運転者の視野範囲内を撮像するカメラと、カメラによって撮像された画像に基づき、車両前方における道路面を認識する道路面認識部とを備え、処理部は、認識された道路面に、仮想線の先端が重なる映像情報を出力する、とよい。
【００１３】
好適には、カメラはステレオカメラである、とよい。
【発明の効果】
【００１４】
本発明の視線誘導システムによれば、運転者の上側から、フロントガラス内に視認される進路上の道路に至る仮想線を、運転者の前方にフロントガラスと重ねて表示する。さらに、仮想線と連動させて、車外物についての注意喚起表示を表示する。
これにより、運転者の視線は、道路に誘導された状態から自然に、注意喚起対象物へ誘導され、誘導された視線で、注意喚起対象物を直視できる。運転者は、注意喚起表示と注意喚起対象物とを対応付けたり、その対応付けに基づいて表示に係る注意喚起対象物を特定したりすることなく、注意喚起対象物を即座に視認できる。さらに、ハンドル操作による操舵入力を検知し、運転者のハンドル操作によって注意喚起対象物に対して回避行動をしたと判断した場合に、注意喚起表示を目立たなく表示することで、フロントガラス上での表示を簡略にし、運転者の負担を軽減する。
本発明では、仮想線や注意喚起表示により運転者の視線を注意喚起対象物へ誘導し、また、操舵入力の検知に応じた表示の変更を行うことで、不要な誘導をしなくなり、運転者の負担を軽減できる。
【図面の簡単な説明】
【００１５】
【図１】本発明の実施形態に係る視線誘導システムの全体を示す図である。
【図２】本発明の実施形態に係る視線誘導システムのブロック構成図である。
【図３】本発明の実施形態に係る視線誘導システムの全体フローチャートである。
【図４】本発明の実施形態に係る視線誘導システムの視線誘導表示処理の一部フローチャートである。
【図５】本発明の実施形態に係る視線誘導システムの視線誘導表示処理の注意喚起表示に係るフローチャートである。
【図６】本発明の実施形態に係る視線誘導システムにおけるフロントガラスへの表示の一例を含む動作状態の図である。
【図７】本発明の実施形態に係る視線誘導システムにおけるフロントガラスへの表示の一例を含む動作状態の図である。
【図８】本発明の実施形態に係る視線誘導システムにおけるフロントガラスへの表示の一例を含む動作状態の図である。
【図９】本発明の実施形態に係る視線誘導システムにおけるフロントガラスへの表示の一例を含む動作状態の図である。
【図１０】本発明の実施形態に係る視線誘導システムにおけるフロントガラスへの表示の一例を含む動作状態の図である。
【図１１】本発明の実施形態に係る視線誘導システムにおけるフロントガラスへの表示の一例を含む動作状態の図である。
【発明を実施するための形態】
【００１６】
以下、本発明の実施形態を、図面に基づいて説明する。
【００１７】
図１は、本発明の実施形態を示している。図１に基づいて本発明の視線誘導システムについて説明する。
【００１８】
図１は、本発明の実施形態に係る視線誘導システムの全体を示す図である。視線誘導システム１は、地図情報データベース２と、GPS（Global Positioning System）アンテナ３と、運転者の前方に設置されたフロントガラス６と、映像表示部（映像投影部７）と、地図情報データベース２からの地図情報とGPSアンテナ３により取得されたGPS情報から所望の経路情報を出力する処理部１０を備える。視線誘導システム１は、さらに、VICS（Vehicle Information and Communication System）やETC（Electronic Toll Collection System）などの高度道路交通システム通信用のアンテナ４を備え、交通情報の取得や、有料道路における支払などを行う。
【００１９】
車両後輪には車速センサ５が設けられ、検出された車速情報が処理部１０へ入力される。車室内には２つのカメラから構成されるステレオカメラ８が設けられ、車外前方を撮像している。ステレオカメラ８は、その視差によって、車両の前方の物体や道路面までの距離を測定できるようになっている。さらに車室内には、運転者の視線を検知する視線検知部９、運転者が所望の目的地を設定するための操作部１１、音声による目的地設定のためのマイク１５、明るさを検知する照度センサ１４などが設けられている。
【００２０】
運転者の操舵を検知する操舵入力検知部１２と、運転者の制動を検知する制動入力検知部１３からの情報も処理部１０に入力される。さらに、運転者の視野範囲外、映像表示部の表示範囲外を検知・撮像するサイドカメラ１９（図２を参照）が設けられている。
【００２１】
次に処理部１０を中心として、処理部１０に接続される各構成について説明する。図２は、本発明の実施形態に係る視線誘導システムのブロック構成図である。処理部１０は、地図情報データベース２、GPSアンテナ３、アンテナ４、車速センサ５、映像投影部７、画像処理部１７を介してステレオカメラ８およびサイドカメラ１９、視線検知部９、操作部１１、操舵入力検知部１２、制動入力検知部１３、照度センサ１４、音声解析部１６を介してマイク１５、と接続される。
【００２２】
処理部１０は、車速センサ５、視線検知部９などからの情報を受け取り、フロントガラス６に表示される仮想線Ｌの表示形状などの変更処理を行う。本実施形態の仮想線Ｌは、視線誘導対象物に至る視線誘導線または、車両の進行方向を示す進路誘導線として機能する。また、車内に設けられた操作部１１からの情報、運転者によるハンドル操作を検知する操舵入力検知部１２からの情報、運転者のブレーキ操作を検知する制動入力検知部１３からの情報、照度センサ１４によるフロントガラス６付近での照度情報、マイク１５からの情報（音声解析部１６によって音声解析された情報）も受け取る。
【００２３】
また、処理部１０は、運転者によるハンドル操作を検知する操舵入力検知部１２からの情報、運転者のブレーキ操作を検知する制動入力検知部１３からの情報に応じて、仮想線Ｌの表示形状などを変更する。さらに、処理部１０は、照度センサ１４によるフロントガラス６付近での照度情報から、仮想線Ｌが運転者にとって見やすいように濃度や明るさなどを変更する。
【００２４】
なお、視線検知は、角膜からの反射光を撮影する赤外線カメラで行うことができる。また、カメラによって撮像された、被験者が決められた方向を見ているときの目や顔の画像サンプルを、事前に計測システムに登録し、顔の向きと目の向きの角度を計測して、それぞれの角度の和を算出することで視線方向を特定することもできる。
【００２５】
このとき、顔の向きは、画像中から人物の頭部全体と目や鼻などの顔器官の位置を検出し、目の向きは、画像中から目の領域全体と黒目の位置を検出し、これらの位置関係を眼球のモデルに当てはめることで顔正面方向からの角度として計測する。
【００２６】
次に、視線誘導システムのフローチャートおよび運転者が運転席から見たときの状態を含む視線誘導システムの動作状態の図を示しながら、詳細を説明する。図３は、本発明の実施形態に係る視線誘導システムの全体フローチャートである。
【００２７】
運転者は、車内に設けられた操作部１１を操作することによって、目的地を指定する。また、運転者の声を検知するマイク１５に目的地を言うことで、音声解析部１６によって音声解析されて、目的地を指定することもできる（ステップＳＴ１０）。
【００２８】
処理部１０が、指定された目的地に応じて、経路処理を行う（ステップＳＴ１１）。経路処理において、処理部１０は、地図情報データベース２の地図情報とGPSアンテナ３により取得されたGPS情報から自車位置と自車方位を取得し、目的地までの所望の経路を算出する。経路および経路誘導に必要な地図情報はメモリ２０に格納される。走行中などにGPS情報による自車位置が経路にないと判断された場合には、適時、経路を算出し、メモリ２０内の情報は書き換えられる。
【００２９】
映像投影部７は、処理部１０のメモリ２０に格納された目的地までの経路および地図情報に基づいて処理された仮想線Ｌ、道路情報などをフロントガラス６に表示させる（ステップＳＴ１２）。この視線誘導表示処理において、処理部１０は、ステレオカメラ８から受信している道路面の情報や道路面および車外の物体までの距離に関する情報も利用している。
【００３０】
ステレオカメラ８で撮像された映像は、画像処理部１７で処理され、さらに、路面認識部１８で道路面が認識される。同時に画像処理部１７は、ステレオカメラ８によって撮像された範囲内にある物体との相対的速度や距離を解析する。これにより、処理部１０は、経路および地図情報だけなく、距離と道路面の情報も利用して、表示すべき情報を処理する。処理部１０は、車両の速度に応じて、仮想線Ｌの表示形状を変えて、フロントガラス６に表示するような情報を映像投影部７に送る。
【００３１】
なお、本実施形態では、映像表示部として映像投影部７を用いたが、フロントガラスに透過性の有機ＥＬシートを設け、このシートに直接表示させるようにしてもよい。この場合、処理部１０は有機ＥＬシートに映像情報を出力する。
【００３２】
次に、本発明に係る視線誘導システムの代表的な視線誘導表示処理を図４のフローチャートを用いて説明する。図４は、本発明の実施形態に係る視線誘導システムの視線誘導表示処理のフローチャートである。
【００３３】
ステップＳＴ１２の視線誘導表示の処理において、路面認識部１８が、ステレオカメラ８で撮像され、画像処理部１７で処理された画像から道路面を認識し、この情報を処理部１０へ送る。これにより道路面が認識される（ステップＳＴ１３）。
【００３４】
次に、処理部１０は、この認識された道路面に対して、メモリ２０に格納された目的地までの経路および地図情報に基づいて処理された仮想線Ｌの先端を重ねて表示する映像情報を出力する（ステップＳＴ１４）。仮想線Ｌの先端は、運転者から見ると、道路面上に接地されているように見えている。
【００３５】
これにより、運転者の前方に設けられたフロントガラスにおいて、実際の風景や道路に重ねて、仮想線Ｌが表示され、運転者の負担を軽減することができる。また、ガラスに表示することで、音声や音の補助指示がなくても、視線を誘導することができる。これは、線があると、端部を探す行動をする人間の習性を利用したものである。従って、走行状態の目線で、自然に進行方向の誘導が可能となり、運転者が意識することなく、走行環境に適した視線に誘導できる。なお、線で表示しているため、道路環境を隠す割合が小さく、進路誘導線と道路環境を一緒に目視可能である。
【００３６】
次に、図５および図６〜図８を参照して、視線誘導システムの視線誘導表示処理について詳細に説明をする。図５は、本発明の実施形態に係る視線誘導システムの視線誘導表示処理の注意喚起表示ＬＡに係るフローチャートである。注意喚起表示ＬＡは、視線誘導表示の一部として処理される。図６〜図８は、本発明の実施形態に係る視線誘導システムにおけるフロントガラスへの表示の一例を含む動作状態の図である。動作状態の図において、手前側に運転者Ａがおり、運転者Ａの前方にはフロントガラス６と室内のミラー６Ｍがあり、運転者Ａはフロントガラス６を挟んで車外の現実の像を見ている。
【００３７】
車外物が認識されず、または車外物が認識されても、注意喚起をするほどの車外物でなく、注意喚起が表示されない状況のときは、図６に示すように、車両の前方の道路面に重なるように、仮想線Ｌが運転者Ａの前方のフロントガラスに表示されている。
【００３８】
処理部１０が、ステレオカメラ８で撮像され、画像処理部１７で処理された画像から車外物を認識する（ステップＳＴ１５）。車外物が認識されない場合は（ステップＳＴ１５でＮＯ）、ステップＳＴ１５を繰り返す。車外物が認識されると（ステップＳＴ１５でＹＥＳ）、当該車外物に対して注意喚起が必要か否かを判断する（ステップＳＴ１６）。
【００３９】
認識された車外物に対して注意喚起が必要でないと判断されると（ステップＳＴ１６でＮＯ）、ステレオカメラ８で撮像され、画像処理部１７で処理された画像内の別の車外物の認識を行う（再度、ステップＳＴ１５，ステップＳＴ１６へ）。
【００４０】
認識された車外物に対して注意喚起が必要であると判断されると（ステップＳＴ１６でＹＥＳ）、注意喚起表示ＬＡが行われる（ステップＳＴ１７）。処理部１０は、仮想線Lの先端がフロントガラス内に視認される進路上の道路面と重なり、さらに仮想線Lと連動させて、車外物についての注意喚起表示ＬＡを表示する映像情報を出力する。具体的には、処理部１０が、車外物と仮想線Lをつなぐ線として注意喚起表示ＬＡを行う映像情報を出力する。
【００４１】
図７で示すように、運転者Ａが見るフロントガラス６には、仮想線Ｌが表示されたまま、注意喚起表示ＬＡが表示される。図７では、車両が走行中の道路に向かって近づいている自転車Ｂを注意喚起するべき車外物として認識し、自転車Ｂと仮想線Ｌをつなぐ線として注意喚起表示ＬＡを行っている。また、仮想線Ｌは表示した状態のまま、仮想線Ｌから自転車Ｂへ対して延びるように、分岐して注意喚起表示ＬＡを行っている。これは、処理部１０が画像処理部１７で処理されて認識した車外物（自転車Ｂ）に対して、仮想線Ｌから分岐して延びる線（報知線）の映像情報を映像投影部７に送ることで表示される。
【００４２】
次に、操舵入力検知部１２が運転者Ａのハンドル操作（操舵入力）を検知し、処理部１０へ操舵入力信号を送る。処理部１０は、操舵入力信号と画像処理部１７からの画像情報から、運転者Ａが車外物（自転車Ｂ）を認識し、操舵による回避を行ったかを判断する（ステップＳＴ１８）。運転者Ａが車外物（自転車Ｂ）に対する回避を行っていない場合には（ステップＳＴ１８でＮＯ）、注意喚起表示ＬＡをし続ける（ステップＳＴ１７）。このとき、さらに注意喚起表示ＬＡを強調するように表示してもよい。
【００４３】
運転者Ａが車外物（自転車Ｂ）に対して回避を行った場合には（ステップＳＴ１８でＹＥＳ）、注意喚起表示ＬＡを、仮想線Ｌより目立たないように変更する（ステップＳＴ１９）。図８では、運転者Ａが車外物（自転車Ｂ）をハンドル操作によって回避し、その後、注意喚起表示ＬＡの縁が点線で表示されていることを示している。
【００４４】
次に本発明の実施形態における操舵入力に応じた注意喚起表示ＬＡの他の実施例を説明する。図９〜１１は、本発明の実施形態に係る視線誘導システムにおけるフロントガラスへの表示の一例を含む動作状態の図である。図９では、運転者Ａが車外物（自転車Ｂ）をハンドル操作により回避した後に、注意喚起表示ＬＡを仮想線Ｌよりも目立たなく表示させるため、注意喚起表示ＬＡを仮想線Ｌよりも薄い表示で表示されていることを示している。
【００４５】
図１０では、運転者Ａが車外物（自転車Ｂ）をハンドル操作により回避した後に、注意喚起表示ＬＡを仮想線Ｌよりも目立たなく表示させるため、注意喚起表示ＬＡを白抜きの矢印の表示で表示されていることを示している。
【００４６】
図１１では、運転者Ａが車外物（自転車Ｂ）をハンドル操作により回避した後に、注意喚起表示ＬＡを仮想線Ｌよりも目立たなく表示させるため、注意喚起表示ＬＡを消去し、仮想線Ｌのみを表示していることを示している。
【００４７】
以上の実施形態では、仮想線や注意喚起表示ＬＡを形状の例で説明したが、これに限らず、線の太さ、色、破線や一点鎖線などで表示したり、仮想線Ｌを走行環境や車両周囲の情報、視線状況の情報に応じて、リアルタイムで変更可能である。また、運転者が注視している端部のみの形状、色などを情報に応じて変えるようにしてもよい。
【００４８】
以上のように、処理部１０は、映像投影部に、運転者Ａから見た仮想線Ｌがフロントガラス６の上縁から道路面までに至るように、車速センサ５からの車速に応じて仮想線Ｌの表示を変更する映像情報を出力し、視線検知部９の検知情報に応じて、注意喚起表示ＬＡを変更することで、運転者Ａに対して、自然な視線誘導を行うことができ、運転者の負担を軽減できる。
【００４９】
以上のように、視線検知情報に基づく表示処理だけでなく、操舵や制動、トラクションによる走行環境についての情報や、ステレオカメラ８によって撮像された画像による車両周囲の情報に応じて、仮想線Ｌや注意喚起表示ＬＡの表示形状や表示・非表示の判断を行ってもよい。走行環境としては、例えば、タイヤが滑りやすいアイスバーンの上を、車両が走っている場合には、車両速度が高くなくても、視線を遠い箇所にする方が安全であるため、仮想線Ｌの先端を通常よりも遠い箇所に視線を誘導するように表示する。また、夜の峠道などの場合は、コーナーの出口や次のコーナーの入口を仮想線Ｌの端部にすることで、車線のはみ出しや、車体のスピンを防ぐ。
【００５０】
＜実施形態の構成及び効果＞
本実施形態における視線誘導システムは、車両の運転者の前方に、フロントガラスに重なる映像を表示する映像表示部と、映像表示部に対して、視線誘導をするための仮想線の映像情報を出力する処理部と、操舵入力を検知する操舵入力検知部とを備え、処理部は、仮想線が、運転者の上側から、フロントガラス内に視認される車両の進路に沿って延び、仮想線の先端がフロントガラス内に視認される進路上の道路面と重なり、さらに仮想線と連動させて、車外物についての注意喚起表示を表示し、操舵入力検知部からの操舵入力信号に応じて、注意喚起表示を前記仮想線より目立たないように変更する映像情報を出力する。
【００５１】
上記のように構成したことで、運転者の視野中心をフロントガラス内に視認される進路上の道路面に誘導し、運転者に進路を自然に認識させることができる。さらに、運転者の視野中心をフロントガラス内に視認される注意喚起が必要な車外物に誘導し、かつ自然な視線誘導を行うことができ、また、運転者のハンドル操作による回避を検知し、注意喚起表示を目立たなく表示することで、フロントガラス上での表示を簡略にし、運転者の負担を軽減できる。注意喚起表示を操舵に応じて変更することにより、回避操作後の表示が目立たなくなり、適切なタイミングで表示をコントロールできる。
【００５２】
本実施形態における視線誘導システムは、処理部が、映像表示部の表示範囲内において、前記注意喚起表示を、車外物と前記仮想線をつなぐ線として表示する映像情報を出力する。
【００５３】
上記のように構成したことで、運転者の視線を車外物と仮想線をつなぐ線に沿って誘導し、かつ自然な視線誘導を行うことができるため、運転者の負担を軽減できる。
【００５４】
本実施形態における視線誘導システムは、処理部が、仮想線を表示した状態のまま、仮想線から車外物へ対して延びるように、分岐して注意喚起表示を表示し、操舵入力検知部からの操舵入力信号に応じて、注意喚起表示を消す映像情報を出力する。
【００５５】
上記のように構成したことで、運転者の視線を仮想線による進路から、注意喚起が必要な車外物に自然な視線誘導を行うことができ、また、運転者のハンドル操作による回避を検知し、注意喚起表示を消すことで、フロントガラス上での表示を簡略にし、運転者の負担を軽減できる。
【００５６】
本実施形態における視線誘導システムは、処理部が、仮想線を表示した状態のまま、仮想線から車外物へ対して延びるように注意喚起表示を表示し、操舵入力検知部からの操舵入力信号に応じて、注意喚起表示を薄く表示する映像情報を出力する。
【００５７】
上記のように構成したことで、運転者の視線を、注意喚起が必要な車外物に適切に誘導することができ、また、運転者のハンドル操作による回避を検知し、注意喚起表示を薄くして目立たなく表示することで、フロントガラス上での表示を簡略にし、運転者の注意喚起物を視認する負担を軽減できる。
【００５８】
本実施形態における視線誘導システムは、映像表示部は、フロントガラスに映像を投影する映像投影部であり、処理部は、映像投影部に、運転者から見た仮想線がフロントガラスの上縁から道路面までに至るように表示する映像情報を出力する。
【００５９】
上記のように構成したことで、運転者の視野中心を自然に誘導することができる。
【００６０】
本実施形態における視線誘導システムは、車両前方の運転者の視野範囲内を撮像するカメラと、カメラによって撮像された画像に基づき、車両前方における道路面を認識する道路面認識部とを備え、処理部は、認識された道路面に、仮想線の先端が重なる映像情報を出力する。
【００６１】
上記のように構成したことで、運転者の視野中心を正確に道路面に誘導することができ、より自然な視線誘導をすることができる。
【００６２】
本実施形態における視線誘導システムは、カメラがステレオカメラである。
【００６３】
上記のように構成したことで、より正確に道路面や前方車両までの距離などを認識でき、この情報に応じた表示制御が可能となる。
【００６４】
＜定義等＞
本発明の映像表示部とは、フロントガラスに映像を投影させる映像投影部や、処理部からの映像情報によって表示を行う透過性有機ＥＬシートなどをいう。
【００６５】
本発明の仮想線Ｌとは、フロントウインドシールドなどのフロントガラス、リアガラス、サイドガラスに表示される線または点線などの視認可能な画像を表示、投影したものであり、運転者に対して視線の誘導が可能な表示であれば、どのような表示であってもよい。
【符号の説明】
【００６６】
１  視線誘導システム
２  地図情報データベース
３  GPSアンテナ
４  アンテナ
５  車速センサ（車速検知部）
６  フロントガラス
７  映像投影部
８  ステレオカメラ
９  視線検知部
１０  処理部
１１  操作部
１２  操舵入力検知部
１３  制動入力検知部
１４  照度センサ
１５  マイク
１６  音声解析部
１７  画像処理部
１８  路面認識部
１９  サイドカメラ
２０  メモリ
Ｌ    仮想線
ＬＡ  注意喚起表示
【図１】
0005492962.tif 000002
【図２】
0005492962.tif 000003
【図３】
0005492962.tif 000004
【図４】
0005492962.tif 000005
【図５】
0005492962.tif 000006
【図６】
0005492962.tif 000007
【図７】
0005492962.tif 000008
【図８】
0005492962.tif 000009
【図９】
0005492962.tif 000010
【図１０】
0005492962.tif 000011
【図１１】
0005492962.tif 000012